(57)【要約】【課題】印鑑を捺印する際、邪魔にならず印影を容易に真っ直ぐに押すことができるガイド機能を有し、かつ小物入れ及び交換可能な捺印部部材を有する等の、多目的に使用できる印鑑を提供する。【解決手段】  印鑑の上面に形設された十文字状の上面パターン及び、同パターン端から同印鑑の側面に沿って下方に延設された側面パターンを有してなる印鑑。【選択図】  図４
2006027147.tif 000002
【特許請求の範囲】
【請求項１】
印影が真っ直ぐに捺印できる印鑑であって、
前記印鑑の上面に形設された十文字状の上面パターンを有してなることを特徴とする印鑑。
【請求項２】
印影が真っ直ぐに捺印できる印鑑であって、
前記印鑑の上面に形設された十文字状の上面パターン及び、同パターン端から同印鑑の側面に沿って下方に延設された側面パターンを有してなることを特徴とする印鑑。
【請求項３】
前記十文字状の上面パターン及び／又は前記上面パターン端から同印鑑の側面に沿って下方に延設された側面パターンが、刻設されてなるものであることを特徴とする請求項１又は２に記載の印鑑。
【請求項４】
前記十文字状の上面パターン及び／又は前記上面パターン端から同印鑑の側面に沿って下方に延設された側面パターンが、塗布されてなるものであることを特徴とする請求項１又は２に記載の印鑑。
【請求項５】
前記十文字状の上面パターン及び／又は前記上面パターン端から同印鑑の側面に沿って下方に延設された側面パターンが、貼設されてなるものであることを特徴とする請求項１又は２に記載の印鑑。
【請求項６】
前記十文字状の上面パターン及び／又は前記上面パターン端から同印鑑の側面に沿って下方に延設された側面パターンが、外部からの光を反射して光輝を発する部材を有してなるものであることを特徴とする請求項１〜５のいずれか１項に記載の印鑑。
【請求項７】
前記外部からの光を反射して光輝を発する部材が、単色又は複数色の天然宝石又は人工宝石であることを特徴とする請求項６に記載の印鑑。
【請求項８】
前記外部からの光を反射して光輝を発する部材が、単色又は複数色の天然宝石又は人工宝石の小片であることを特徴とする請求項６に記載の印鑑。
【請求項９】
前記外部からの光を反射して光輝を発する部材が、単色又は複数色の透明な合成樹脂で、かつその表面が光を反射する如く加工されてなるものであることを特徴とする請求項６に記載の印鑑。
【請求項１０】
前記外部からの光を反射して光輝を発する部材が、反射板であることを特徴とする請求項６に記載の印鑑。
【請求項１１】
前記外部からの光を反射して光輝を発する部材が、印鑑の上面に刻設された十文字状の上面パターン及び／又は同パターン端から同印鑑の側面に沿って下方に延設して刻設された側面パターンに埋設されてなることを特徴とする請求項６〜１０のいずれか１項に記載の印鑑。
【請求項１２】
前記十文字状の上面パターン及び／又は同パターン端から同印鑑の側面に沿って下方に延設されてなる側面パターンが、
上面の十文字状の中心から４方向に単色又は各方向にそれぞれ異なった色に色分けされた色彩を備えてなることを特徴とする請求項１〜１１のいずれか１項に記載の印鑑。
【請求項１３】
前記印鑑が、同印鑑を構成する印材の柱体の内部に空洞部を備えてなり、前記空洞部内に小物類を収納することができることを特徴とする請求項１〜１２のいずれか１項に記載の印鑑。
【請求項１４】
前記印鑑が、同印鑑を構成する印材の柱体に対し、捺印部部材が着脱自在に装着されてなることを特徴とする請求項１〜１３のいずれか１項に記載の印鑑。
【請求項１５】
前記印鑑が、同印鑑を構成する印材の柱体に対し、複数個の捺印部部材が着脱自在に装着されてなり、随時交換できることを特徴とする請求項１〜１４のいずれか１項に記載の印鑑。
【発明の詳細な説明】
【技術分野】
【０００１】
本発明は、印鑑に係り特に印影が真っ直ぐに捺印できる多機能を有する印鑑に関する。
【背景技術】
【０００２】
従来、印鑑の印影を真っ直ぐに捺印するには押印時に細心の注意を払う必要があり、また印鑑は捺印を目的とするだけの単機能のものであった。
また、印影を真っ直ぐに捺印するための印鑑としては、物理的に開閉できる補助棒を印鑑本体に枢着したものや、被捺印面に補助具を敷設するもの等が知られている。
【特許文献１】特開２０００ー２８９３１５号公報
【特許文献２】特開平９−１３６４７５号公報
【特許文献３】特開平８−２４４３２３号公報
【発明の開示】
【発明が解決しようとする課題】
【０００３】
しかしながら、印鑑本体に補助棒を有するものは捺印の都度、補助棒を開閉しなけらばならず面倒であり、かつ棒状のものが印鑑本体の周囲に展開されるため捺印の際に邪魔になることが少なくなかった。
また、補助具を敷設するものは、補助具を印鑑とともに持ち歩いて捺印の度に被捺印面に敷設する必要があり、かつ複数の印鑑用としてはそれぞれの印鑑の形状が異なるため抜き型に手が掛かり、両者とも実用には難があった。
本発明は印鑑を捺印する際、邪魔にならず印影を容易に真っ直ぐに押すことができるガイド機能を有し、かつ小物入れ及び交換可能な捺印部部材を有する等の、多目的に使用できる印鑑を提供する。
【課題を解決するための手段】
【０００４】
上記に鑑み本発明者は鋭意実験研究の結果、次の手段により上記課題を解決した。
（１）印影が真っ直ぐに捺印できる印鑑であって、前記印鑑の上面に形設された十文字状の上面パターンを有してなることを特徴とする印鑑。
（２）印影が真っ直ぐに捺印できる印鑑であって、前記印鑑の上面に形設された十文字状の上面パターン及び、同パターン端から同印鑑の側面に沿って下方に延設された側面パターンを有してなることを特徴とする印鑑。
【０００５】
（３）前記十文字状の上面パターン及び／又は前記上面パターン端から同印鑑の側面に沿って下方に延設された側面パターンが、刻設されてなるものであることを特徴とする前項（１）又は（２）に記載の印鑑。
（４）前記十文字状の上面パターン及び／又は前記上面パターン端から同印鑑の側面に沿って下方に延設された側面パターンが、塗布されてなるものであることを特徴とする前項（１）又は（２）に記載の印鑑。
（５）前記十文字状の上面パターン及び／又は前記上面パターン端から同印鑑の側面に沿って下方に延設された側面パターンが、貼設されてなるものであることを特徴とする前項（１）又は（２）に記載の印鑑。
【０００６】
（６）前記十文字状の上面パターン及び／又は前記上面パターン端から同印鑑の側面に沿って下方に延設された側面パターンが、外部からの光を反射して光輝を発する部材を有してなるものであることを特徴とする前項（１）〜（５）のいずれか１項に記載の印鑑。
（７）前記外部からの光を反射して光輝を発する部材が、単色又は複数色の天然宝石又は人工宝石であることを特徴とする前項（６）に記載の印鑑。
（８）前記外部からの光を反射して光輝を発する部材が、単色又は複数色の天然宝石又は人工宝石の小片であることを特徴とする前項（６）に記載の印鑑。
【０００７】
（９）前記外部からの光を反射して光輝を発する部材が、単色又は複数色の透明な合成樹脂で、かつその表面が光を反射する如く加工されてなるものであることを特徴とする前項（６）に記載の印鑑。
（１０）前記外部からの光を反射して光輝を発する部材が、反射板であることを特徴とする前項（６）に記載の印鑑。
【０００８】
（１１）前記外部からの光を反射して光輝を発する部材が、印鑑の上面に刻設された十文字状の上面パターン及び／又は同パターン端から同印鑑の側面に沿って下方に延設して刻設された側面パターンに埋設されてなることを特徴とする前項（６）〜（１０）のいずれか１項に記載の印鑑。
（１２）前記十文字状の上面パターン及び／又は同パターン端から同印鑑の側面に沿って下方に延設されてなる側面パターンが、上面の十文字状の中心から４方向に単色又は各方向にそれぞれ異なった色に色分けされた色彩を備えてなることを特徴とする前項（１）〜（１１）のいずれか１項に記載の印鑑。
【０００９】
（１３）前記印鑑が、同印鑑を構成する印材の柱体の内部に空洞部を備えてなり、前記空洞部内に小物類を収納することができることを特徴とする前項（１）〜（１２）のいずれか１項に記載の印鑑。
（１４）前記印鑑が、同印鑑を構成する印材の柱体に対し、捺印部部材が着脱自在に装着されてなることを特徴とする前項（１）〜（１３）のいずれか１項に記載の印鑑。
（１５）前記印鑑が、同印鑑を構成する印材の柱体に対し、複数個の捺印部部材が着脱自在に装着されてなり、随時交換できることを特徴とする前項（１）〜（１４）のいずれか１項に記載の印鑑。
【発明の効果】
【００１０】
本発明により下記のような効果が期待できる。
（ア）本発明の印鑑は、印鑑の上面に形設された十文字状の上面パターンを有して構成されるので、前記十文字状の上面パターンの縦のライン（縦の方向線）及びそれに直行する横のライン（横の方向線）と、捺印用紙等の捺印物の縦方向及び横方向とを合わせるだけで、捺印物に対し真っ直ぐに捺印することができる。
（イ）本発明の印鑑は、印鑑の上面に形設された十文字状の上面パターン及び、同パターン端から同印鑑の側面に沿って下方に延設された側面パターンを有して構成されるので、前記十文字状の上面パターンの縦のライン、それに直交する横のライン、及び同パターン端から同印鑑の側面に沿って下方に延設された側面パターンに、捺印用紙等の捺印物の縦方向及び横方向とを合わせるだけで、常に真っ直ぐに捺印することができる。
（ウ）また、本発明の印鑑は、上記十文字状の上面パターン及び／又は上記パターン端から同印鑑の側面に沿って下方に延設された側面パターンが、刻設、塗布、又は貼設されて構成されるので、十文字状の上面パターン及び／又は上記パターン端から同印鑑の側面に沿って下方に延設された側面パターンは確認しやすく、捺印物の縦方向及び横方向と合わせるのが容易で、印鑑上面の十文字状の上面パターン及び、同パターン端から同印鑑の側面に沿って下方に延設された側面パターンを見てその方向が捺印物に対し傾かないように印鑑の方向を修正確認することができ、常に真っ直ぐに捺印することができる。
【００１１】
（エ）本発明の印鑑は、（１）単色又は複数色の天然宝石又は人工宝石、（２）単色又は複数色の天然宝石又は人工宝石の小片、（３）単色又は複数色の合成樹脂、又は（４）反射板、等の外部からの光を反射して光輝を発する部材を選択して、印鑑の上面に刻設された十文字状の上面パターン及び／又は同パターン端から同印鑑の側面に沿って下方に延設された側面パターンに使用することができるので、印鑑の外観に優雅さと高級感を備えることができる。
（オ）さらに、本発明の印鑑は、前記外部からの光を反射して光輝を発する部材として、単色又は複数色の天然宝石又は人工宝石の小片、宝石加工の際に生ずる小片、屑宝石、微粒の結晶を採用して、それらを透明接着剤と混合して前記上面パターン及び／又は側面パターンに埋設して構成することもできるので、安価に高級感を備えた印鑑を形成することができる。
【００１２】
（カ）そして、前記上面パターン及び／又は側面パターン端から同印鑑の側面に沿って下方に延設される側面パターンが、上面の十文字状の中心から４方向に単色又は各方向にそれぞれ異なった色に色分けされた色彩を備えて構成することができるので、例えば、周知の風水パワーを表す色彩として、赤、黄、青、緑等に色分けし、前記上面パターン及び／又は側面パターン毎に異なる色彩、あるいは４色を交互に配列することにより、印鑑の所持時及び捺印の際、意識の高揚と安心感を得ることができる。
【００１３】
（キ）また、本発明の印鑑は、同印鑑を構成する印材の柱体の内部に空洞部を備えて構成することができ、前記空洞内に小物を収納することができるため、身に付けたり、身近に置いておきたいもの例えば、おみくじや、香料等の小物を収納しておくことができる。
（ク）そして、本発明の印鑑においては、同印鑑を構成する印材の柱体に対し、捺印部部材を脱着自在に装着することができるので、複数種類の印鑑を１個の印材で兼用することができ、随時捺印部を交換して使用することができる。
【発明を実施するための最良の形態】
【００１４】
本発明の印鑑は、印影が真っ直ぐに捺印できる印鑑であり、すなわち、印鑑の上面に十文字状の上面パターンが形設されて構成されるものである。
また、印鑑の上面に十文字状の上面パターンが形成され、同パターン端から同印鑑の側面に沿って下方に側面パターンが延設されて構成されるものである。
ここで、本発明における印鑑は、実印をはじめ、認印、銀行印等あらゆる印鑑に適用できるものであり、その大きさや使用目的、材質等に限定されるものではない。
また、印鑑の種類としては、例えば捺印時に朱肉をつけるもの、インク自給式のもの等、あらゆる種類の印鑑に適用できるものである。
【００１５】
そして、本発明における印鑑の上面に形設される十文字状の上面パターンは、印鑑の上面の中心部に十文字の縦方向の線と横方向の線の交差する位置が配置され、印影の上下方向に縦方向の線が一致し、印影の左右方向に横方向の線が一致するように構成されるものである。
また、上面パターンの端から印鑑の側面に沿って下方に延設されて形設される側面パターンは、印影の上下方向及び左右方向に対し、垂直に形成される。
そして、前記十文字状の上面パターン及び側面パターンは、刻設、塗布、貼設あるいは描画などによって、形設することができるものであり、確認しやすく、長期の印鑑の使用に耐えうる程度のものであれば、その形設方法は問わないが、好ましくは強度、耐久性の点から刻設が挙げられる。
また、前記十文字状の上面パターン及び側面パターンの表現は、連続する直線、曲線、波線、模様、点などが挙げられるが、印鑑の上面に十文字状の上面パターン、印鑑の側面に沿って下方に延設された側面パターンを使用者が認識できるものであれば、その表現は限定されるものではない。
【００１６】
以下図面に基づいて、発明を実施するための最良の形態を説明する。
図１は本発明の上面に形設された十文字状の上面パターンを有する印鑑の外観図で（イ）は上面図、（ロ）は正面図、（ハ）は下面図、図２は本発明の印鑑の使用方法を示す図、図３は本発明の印鑑の上面パターンの例を示す図である。
図において、１は印鑑、２は印材の柱体、３は印鑑上面、４は捺印部部材、５は上面パターン、５ａは上面パターンの縦方向ライン、５ｂは上面パターンの横方向ライン、５ａ’は縦の方向線、５ｂ’は横の方向線、１１は色彩、１２は捺印文字、１５は捺印物、１５ａは捺印物の縦方向、１５ｂは捺印物の横方向、１５ａ’は捺印物の縦方向の線、１５ｂ’は捺印物の横方向の線を示す。
【００１７】
本発明における印鑑は、図１に示すように、印鑑上面３に十文字状の上面パターン５を有して構成されるものであり、前記十文字状の上面パターンは刻設、塗布又は貼設等の認識しやすい方法により形成される。
そして、前記十文字状の上面パターン５の縦方向ライン５ａ及びそれに直交する横方向ライン５ｂと、捺印用紙等の捺印物の縦方向及び横方向とを合わせておくことにより、その方向が捺印物に対し傾かないように修正確認後捺印することができるものであり、常に真っ直ぐに捺印することができる。
【００１８】
図２は、本発明の印鑑の使用方法を示す図である。
印鑑１の上面３には、十文字状の上面パターン５が形設されている。また、捺印する場所は、紙などの捺印物１５の所定個所（図では署名の最後）である。
本発明の印鑑１は、捺印する際には、印鑑上面３の上面パターン５の縦のライン５ａ、あるいは縦のライン５ａを基準とする縦の方向線５ａ’と、捺印物１５の縦方向１５ａ（例えば、紙の左右の端部）の線１５ａ’との間（矢印α）が平行になるように配置される。
そして、同様に、印鑑上面３の上面パターン５の横のライン５ｂ、あるいは横のライン５ｂを基準とする横の方向線５ｂ’と、捺印物１５の横方向１５ｂ（例えば、紙の上下の端部）の線１５ｂ’との間（矢印β）が平行になるように配置される。
その後、上面パターン５の縦のライン５ａと横のライン５ｂを目印として、捺印物１５の縦方向１５ａと横方向１５ｂを平行を保った後に、捺印個所に捺印する。
このように、印鑑１の上面３に形成された上面パターン５の縦のライン５ａと横のライン５ｂと、捺印物１５の縦方向１５ａと横方向１５ｂを合わせて捺印することにより、容易に印影を真っ直ぐに押すことができる。
【００１９】
本発明の印鑑１は、印鑑１の上面に上面パターン５を形設することにより、印影を真っ直ぐ押すことができるものであり、上面パターン５は、印鑑１及び捺印文字１２の上下左右が真っ直ぐであるかどうかを確認できるものである。
捺印物１５の種類によっては、上面パターン５が十文字状でなく、横一文字状、あるいは縦一文字状に形設することもできるが、縦だけ、あるいは横だけを確認するより、縦と横を確認した方が、正確に真っ直ぐに捺印することができるので、上面パターン５は、十文字状で形設されることが好ましい。
なお、上面パターン５は、印鑑の上下左右方向を正確に認識し、捺印物１５の縦方向１５ａと横方向１５ｂと合わせることができるものであればよく、その形状は、十字形状に限られるものではなく、例えば、図３の本発明の印鑑の上面パターンの例を示す図に示すように、印鑑１の上面３に形設される上面パターン５は、その十文字状を上面パターン５０ａ〜５０ｉに示すように、任意の点線、波線、直線、模様などで形設することができ、意匠性の高いものとすることもできる。
【００２０】
本発明の印鑑１は、印鑑１の上面に十文字状の上面パターンを形設し、同パターン端から同印鑑１の側面に沿って下方に側面パターンを延設して構成することもできるものである。
図４は本発明の上面に形設された十文字状の上面パターン及び、同パターン端から同印鑑の側面に沿って下方に延設された側面パターンを有する印鑑の外観図で、（イ）は上面図、（ロ）は正面図、（ハ）は下面図である。
図において、５ｃは上面パターン端、６は側面パターンである。
図４に示す本発明の印鑑１は、前記図１の十文字状の上面パターン５にさらに、同パターン端５ｃから同印鑑１の側面に沿って下方に延設された側面パターン６を有して構成されるものであり、前記上面パターン５及び側面パターン６は刻設、塗布又は貼設等により形設され、前記十文字状の上面パターン５の縦方向ライン５ａ及びそれに直交する横方向ライン５ｂ及び、同パターン端５ｃから同印鑑１の柱体１の側面に沿って下方に延設された側面パターン６に、捺印物１５（図２参照）の縦方向１５ａ及び横方向１５ｂとを合わせておくことにより、印鑑上面３の十文字状の上面パターン５及び、同パターン端５ｃから同印鑑１の側面に沿って下方に延設された側面パターン６を確認して、その方向が捺印物１５に対し傾かないように捺印することができるものである。
側面パターン６は、印鑑１の側面に形設されるので、側面パターン６と捺印部が近く、捺印物１５の縦方向１５ａと横方向１５ｂと合わせやすく、印鑑１の上下左右の確認が容易となる。
【００２１】
図５は、本発明の印鑑にかかる上面パターン及び側面パターンを波線で形成した本発明の印鑑の外観図である。
図において、印鑑１の上面３に形設された上面パターン５及び、印鑑１の柱体２における側面に形設された側面パターン６が波線で構成されている。
【００２２】
図６は、本発明の印鑑にかかる上面パターン及び側面パターンに宝石を配設した本発明の印鑑の外観図であり、図７は、本発明の印鑑にかかる上面パターン及び側面パターンに宝石の小片を配設した本発明の印鑑の外観図である。共に（イ）は上面図、（ロ）は正面図、（ハ）は下面図を示す。
図において、７は宝石、１０は連続光輝帯を示す。
図６は、上面パターン５及び側面パターン６が外部からの光を反射して光輝を発する部材で構成される場合の一実施例であり、図においては、前記部材が宝石７で構成され、該宝石７は反面が露光されるように小間隔に埋設されて上面パターン５及び側面パターン６を形成しているので、印鑑１は優雅で高級感を備えたものとなる。
図７は、上面パターン５及び側面パターン６が外部からの光を反射して光輝を発する部材で構成される場合のその他の実施例であり、単色又は複数色の天然宝石又は人工宝石で構成され、図においては、前記単色又は複数色の天然宝石又は人工宝石を、透明接着剤と混合して印材の柱体２に埋設し連続光輝帯１０を構成し、上面パターン５及び側面パターン６を形成している。
【００２３】
上記の実施例の他、本発明の印鑑１は、外部からの光を反射して光輝を発する部材として、宝石加工の際に生ずる小片や、屑宝石、又は人工宝石等の微粒の結晶などを採用することもでき、前記部材によって、上面パターン５及び側面パターン６を発光帯として容易にかつ安価に作製することができ、高級感を備えた印鑑とすることができる。
【００２４】
図８は、本発明の印鑑の他の実施例の外観図であり、外部からの光を反射して光輝を発する部材として宝石を採用し、上面パターン５及び側面パターン６を形成し、前記側面パターン６を印材の柱体２の途中まで形成し、同時に柱体に描画を施した印鑑１の実施例を示す図であり、（イ）は上面図、（ロ）は正面図、（ハ）は下面図を示す。
図において、１’は図柄入り印鑑、２１は図柄を示す。
本発明の印鑑１、１’における側面パターン６は、上面パターン端５ｃから同印鑑１の側面に沿って捺印部近傍まで形成することもでき、また、印鑑１の柱体２の途中まで延設して形成することもできる。
そして、印鑑１の柱体２に側面パターン６以外の図柄や模様を配設することにより、さらに高級感を備えることができる。
図８においては、側面パターン６が、印材の柱体２の途中まで形成され、その下方部分には、図柄２１が配設されている。図においては図柄２１は象徴的図柄、例えば、昇運を表すとされる登り龍を事例としたが、描かれる図柄や模様は、自由に選択できるものである。
【００２５】
本発明の印鑑１においては、外部からの光を反射して光輝を発する部材としては、前述の単色又は複数色の天然宝石や人工宝石、単色又は複数色の天然宝石又は人工宝石の小片、あるいは、単色又は複数色の透明な合成樹脂で、かつその表面が光りを反射する如く加工されてなるもの、又は反射板などを採用することができる。
上記部材は、印鑑１の上面３に刻設された十文字状の上面パターン５及び／又は同パターン端５ｃから同印鑑の側面に沿って下方に延設して刻設された側面パターン６に埋設して構成すると、捺印の妨げとならず、剥離等もなく、使いやすい印鑑１とすることができる。
なお、印鑑１の上面パターン５及び／又は同パターン端５ｃから同印鑑１の側面に沿って下方に延設される側面パターン６を、前記のような外部からの光を反射して光輝を発する部材で構成することにより、個性的でかつ高級感を備えた印鑑１とすることができ、もちろん、印影をまっすぐに押すことができる印鑑１となる。
【００２６】
また、前記図１〜図８に示した実施例において、十文字状の上面パターン５及び／又は側面に沿って下方に延設された側面パターン６に、色彩１１を備えることができる。例えば、上面パターン５の十文字状の中心を基準として４方向に単色又は各方向にそれぞれ異なった色に色分けされた色彩を備えることもできる。
４方向にそれぞれ異なった色に色分けする例としては、周知の風水パワーを表す色彩として、赤、黄、青、緑を採用し、上面パターン５の十文字状の中心から４方向にそれぞれ異なった色を配色することもできる。風水パワーを表す色彩で構成することにより、印鑑１の所持時及び捺印の際、意識の高揚と安心感を得ることができる。もちろん、単色で構成しても、２色（例えば捺印部に対し上下方向と左右方向で色分けする等）で配色してもよく、所持者の好みに合わせて、前記色彩１１を選択することが好ましい。
なお、前述の外部からの光を反射して光輝を発する部材に関しても、その部材自体の色を利用して同様に、４方向に単色又は各方向にそれぞれ異なった色に色分けされた色彩１１を備えることもできる。例えば、天然宝石の場合、ルビー、ダイヤ、エメラルド、サファイアを採用することもできる。
【００２７】
本発明の印鑑１は、同印鑑１を構成する印材の柱体２に対し、捺印部部材が着脱自在となるように装着して構成することもできるものである。また、複数の捺印部部材を脱着自在に装着し、随時交換できるように構成することもできる。
図９、図１０は、本発明の印鑑におけるその他の実施例の説明用断面図であり、図９においては、印鑑１の柱体２の下部には、着脱自在の捺印部部材４、４’が装着されている。
捺印部部材４と捺印部部材４’の捺印文字１２、１２’を異なるものとすれば、１つの印鑑１を所持するだけで、複数の捺印文字１２、１２’を使用場所によって容易に使い分けることができ、かつ、前記印鑑１の上面には上面パターン５及び／又は側面には側面パターン６（図１又は図４参照）が形設されているので、常に容易に印影を真っ直ぐ押すことができる。
着脱構造においては、脱着可能であれば、その構造は限定されないが、例えば、捺印部部材４の上方にオスねじを刻設し、印材の柱体２の下部に前記オスねじに螺合するメスねじを刻設して構成したり（図示せず）、その他、捺印部部材４の上方に挿入部を凸設し、また、印材の柱体２の下部に前記挿入部に嵌合する嵌合部を凹設して形成することもできる。複数の捺印部部材４を着脱自在にし、随時交換できるようにするために、それぞれの捺印部材４、４’が互いに凹部と凸部を備え着脱可能の形状とすることで、容易に捺印部部材４、４’が着脱自在の印鑑１となる。
図１０においては、捺印部部材４は、上方に挿入部が凸設され、また、印材の柱体２の下部には、捺印部部材４が嵌合する嵌合孔が凹設され、嵌合部１４を形成している。前記の嵌合孔の凹部は、後述の小物２３等を収納できる空洞部１３を形成しており、捺印部部材４の凸設された挿入部が、前記空洞部１３の蓋を兼用している。
また、前記嵌合部１４の嵌合孔の側面には着脱バネ２２等を設けることにより、容易にかつ確実に捺印部部材４を着脱することができる構造となっている。
【００２８】
また、印面は、捺印文字１２の他、版画、数字、記号等でもよく、その組合せとすることもできる。
本発明の印鑑１は、同印鑑を構成する印材の柱体２の内部に空洞部を備えることもでき、前記空洞部内に小物類を収納することもできる構成となっている。
図９及び図１０には、印材の柱体の内部に空洞部１３が備えられ、お守りやメモなどの小物２３を収納できる構造となっている。小物２３としては、常時所持したいものや、身近に置いておきたいもの、例えば、おみくじや、香料等でもよい。出し入れするには捺印部４（４’）を着脱して行う。
【００２９】
本発明における印鑑１は、前述したように、同印鑑１の上面に形設される十文字状の上面パターン５及び／又は前記上面パターン端５ｃから、同印鑑１の側面に沿って下方に延設された側面パターン６が、外部からの光を反射して光輝を発する部材を有して構成することができる。
図１１〜図１４は、上面パターン５及び／又は側面パターン６を前記部材で構成する場合の実施例の説明図である。
図１１は、宝石を半面露光するように配設した場合の側面パターン６の一部を示す部分図であり、（イ）は正面図、（ロ）は側面断面図を示す。
図において、１６は透明接着材、１７は宝石を示している。
図に示す宝石１７は、単色又は複数色の天然宝石又は人工宝石であり、該宝石１７を半面が露光されるように、印材の柱体２の側面パターン６に小間隔に透明接着材１６で固着されている。
【００３０】
図１２は、宝石の小片と透明接着材を混合して形設した場合の側面パターン６の一部を示す部分図であり、（イ）は正面図、（ロ）は側面断面図を示す。
図において、１８は宝石の小片を示す。
図に示す反射して光輝を発する部材は、単色又は複数色の天然宝石又は人工宝石の小片１８であり、透明接着剤１６と混合して、あらかじめ印材の柱体２に形成された側面パターン６の溝部に前記宝石の小片１８と透明接着剤１６を混合したものを埋設して連続光輝帯１０を形成している。
【００３１】
図１３は、透明合成樹脂の加工品を接着した側面パターン６の一部を示す部分図であり、（イ）は正面図、（ロ）は側面断面図を示し、１９は合成樹脂の加工部材を示す。
図において、反射して光輝を発する合成樹脂の加工部材１９は、単色又は複数色の透明な合成樹脂で、かつその表面は光を反射する如くカット加工され、また、裏面は平坦に加工された帯状をしており、透明接着材１６で印材の柱体２に固着され、連続光輝帯１０を形成している。
【００３２】
図１４は、反射板の上に透明合成樹脂の加工品を接着した側面パターン６の一部を示す部分図であり、（イ）は正面図、（ロ）は側面断面図を示し、２０は反射板を示す。
図に示す反射板２０は、例えば金属にメッキをした鏡面体で、印材の柱体２に形成された側面パターン６の溝部内に配設される。
そして、前記反射板２０の表面に、前記単色又は複数色の透明の合成樹脂でかつ、その表面は光を反射する如くカット加工され、また裏面は平坦に加工された帯状の加工部材１９を、透明接着材１６で接着している。
【図面の簡単な説明】
【００３３】
【図１】本発明の上面に形設された十文字状の上面パターンを有する印鑑の外観図
【図２】本発明の印鑑の使用方法を示す図
【図３】本発明の印鑑の上面パターンの例を示す図
【図４】本発明の上面に形設された十文字状の上面パターン及び、同パターン端から同印鑑の側面に沿って下方に延設された側面パターンを有する印鑑の外観図
【図５】本発明の印鑑にかかる上面パターン及び側面パターンを波線で形成した本発明の印鑑の外観図
【図６】本発明の印鑑にかかる上面パターン及び側面パターンに宝石を配設した本発明の印鑑の外観図
【図７】本発明の印鑑にかかる上面パターン及び側面パターンに宝石の小片を配設した本発明の印鑑の外観図
【図８】本発明の印鑑の他の実施例の外観図
【図９】本発明の印鑑のその他の説明用断面図
【図１０】本発明の印鑑のその他の実施例の説明用断面図
【図１１】宝石を半面露光するように配列した場合の側面パターンの一部を示す部分図
【図１２】宝石の小片と透明接着材を混合して形成した場合の側面パターンの一部を示す部分図
【図１３】透明合成樹脂の加工品を接着した側面パターンの一部を示す部分図
【図１４】反射板の上に透明合成樹脂の加工品を接着した側面パターンの一部を示す部分図
【符号の説明】
【００３４】
１：印鑑
１’：図柄入り印鑑
２：印材の柱体
３：印鑑上面
４：捺印部部材
５：上面パターン
５ａ：上面パターンの縦方向ライン
５ｂ：上面パターンの横方向ライン
５ｃ：上面パターン端
５ａ’：縦の方向線
５ｂ’：横の方向線
６：側面パターン
７：宝石
１０：連続光輝帯
１１：色彩
１２：捺印文字
１２’：他の捺印文字
１３：空洞部
１４：嵌合部
１５：捺印物
１５ａ：捺印物の縦方向
１５ｂ：捺印物の横方向
１５ａ’：捺印物の縦方向の線
１５ｂ’：捺印物の横方向の線
１６：透明接着材
１７：宝石
１８：宝石の小片
１９：合成樹脂の加工部材
２０：反射板
２１：図柄
２２：着脱バネ
２３：小物
５０ａ〜５０ｉ：上面パターン
【図１】
2006027147.tif 000003
【図２】
2006027147.tif 000004
【図３】
2006027147.tif 000005
【図４】
2006027147.tif 000006
【図５】
2006027147.tif 000007
【図６】
2006027147.tif 000008
【図７】
2006027147.tif 000009
【図８】
2006027147.tif 000010
【図９】
2006027147.tif 000011
【図１０】
2006027147.tif 000012
【図１１】
2006027147.tif 000013
【図１２】
2006027147.tif 000014
【図１３】
2006027147.tif 000015
【図１４】
2006027147.tif 000016